(57)【要約】【課題】乾燥ゾーンにおける廃棄物の乾燥に用いる一次空気量を減少させる。【解決手段】回転ストーカ式焼却炉におけるストーカ炉本体１の乾燥ゾーン１ａと対応する炉上流側風箱１７ａに、周方向分割流路２４ａ，２４ｂ，２４ｃ，２４ｄ，２４ｅを設け、空気送給ライン２６の開閉弁２７付きの分岐ライン２６ａ，２６ｂ，２６ｃ，２６ｄ，２６ｅを接続する。空気送給ライン２６に、炉上流側風箱１７ａへ供給する一次空気５の総通気量を検出する流量計２８を設ける。流量計２８からの入力信号を基に、各開閉弁２７へ指令を与える制御装置３０を備える。制御装置３０により、一次空気５の総通気量が目標通気量よりも大となる範囲内において、周方向分割流路２４ａ，２４ｂ，２４ｃ，２４ｄ，２４ｅの通気を両外側より順次制限し、一次空気５を廃棄物層の厚い幅方向中央部に対して吹き込むことで廃棄物層内における滞留時間を延長させる。【選択図】図１
2006057936.tif 000002
【特許請求の範囲】
【請求項１】
回転可能に横置きされたストーカ炉本体に上流側から供給される被処理物を、該ストーカ炉本体の回転により撹拌しながら下流側へ移送する間に、風箱から供給される一次空気により乾燥、熱分解、燃焼の過程を経て焼却処分するようにしてある回転ストーカ式焼却炉における炉上流側へ一次空気を供給する風箱を、ストーカ炉本体の周方向に細分化した多数の通気領域を有するものとし、且つ該細分化した各通気領域に送風機より一次空気を導くようにする空気送給ラインに、各通気領域ごとの開閉弁を設けて、上記送風機の能力範囲内で使用する通気領域を周方向外側から順に閉じて行くことができるようにしたことを特徴とする回転ストーカ式焼却炉の一次空気供給装置。
【請求項２】
炉上流側へ一次空気を供給する風箱を、ストーカ炉本体の周方向に４以上の通気領域に細分化するようにした請求項１記載の回転ストーカ式焼却炉の一次空気供給装置。
【請求項３】
周方向の各通気領域へ供給される一次空気の総通気量を検出する流量計又は一次空気の圧力を検出する圧力計を空気送給ラインに設け、該流量計又は圧力計から入力される信号に基づいて上記各通気領域ごとの開閉弁へ開閉指令を与える制御装置を備えた請求項１又は２記載の回転ストーカ式焼却炉の一次空気供給装置。
【請求項４】
制御装置を、周方向の各通気領域へ供給される一次空気の総通気量が、ストーカ炉本体の炉上流側にて被処理物を乾燥させるために所望される通気量よりも大となる範囲内において、両外側の周方向の通気領域への通気を順次制限できる機能を有してなるものとした請求項３記載の回転ストーカ式焼却炉の一次空気供給装置。
【発明の詳細な説明】
【技術分野】
【０００１】
本発明は、回転ストーカ式焼却炉にて都市ごみ等の被処理物を焼却処理する際、ストーカ炉本体内の被処理物を乾燥させるために炉上流側部分へ風箱より一次空気を供給するようにしてある一次空気供給装置に関するものである。
【背景技術】
【０００２】
被処理物としての廃棄物を焼却処理する装置の一つとして、円筒状のストーカ炉本体を回転させることにより廃棄物の送りと撹拌を連続的且つ立体的に行いながら効率よく焼却処理できるようにした回転ストーカ式焼却炉が知られている。
【０００３】
かかる回転ストーカ式焼却炉は、図４（イ）（ロ）（ハ）に示す如く、リング状に形成した入口側ヘッダー管２と出口側ヘッダー管３との間に、多数の水管４を周方向に一定間隔で配置して、該各水管４の両端を、上記入口側及び出口側の各ヘッダー管２，３に連通させて接続すると共に、該各水管４間の隙間に、長手方向の所要間隔位置に多数の空気孔６が穿設してあるフィン７を取り付けて円筒状に成形してなるストーカ炉本体１を有している。更に、該ストーカ炉本体１をカバーケーシング８内に、入口側ヘッダー管２よりも出口側ヘッダー管３の方が低くなるよう傾斜させて横置きして、入口側と出口側の端部外周に取り付けてあるタイヤ９を、それぞれターニングローラ１０上に載置させて、駆動装置１１にて上記ターニングローラ１０を回転させることにより上記ストーカ炉本体１を回転駆動させるようにしてある。又、上記各水管４内には、出口側ヘッダー管３に連結したロータリージョイント１２を介してボイラ水を循環流通させるようにしてある。更に又、上記ストーカ炉本体１には、入口側より投入ホッパ１３内の廃棄物１４を給じん機１５で供給するようにしてあり、一方、上記ストーカ炉本体１の下側位置には、カバーケーシング８の下端に連通する風箱１６が設けてあり、ストーカ炉本体１の下部位置より一次空気５を上記空気孔６を通して炉内へ供給するようにしてある。
【０００４】
上記風箱１６は、ストーカ炉本体１の長手方向（炉上下流方向）に複数分割、たとえば、３分割されており、上流側より炉上流側風箱１７ａ、炉中間部風箱１７ｂ、炉下流側風箱１７ｃとしてある。炉上流側風箱１７ａ、炉中間部風箱１７ｂ、炉下流側風箱１７ｃにはそれぞれダンパ１８が備えてあり、該各ダンパ１８の調整で一次空気５の供給量をそれぞれ調整するようにしてある。又、上記炉上流側風箱１７ａ、炉中間部風箱１７ｂ、炉下流側風箱１７ｃには、各々が図４（ロ）に示す如く、周方向に通気領域である分割流路１９ａ，１９ｂ，１９ｃが３分割して形成してあり、該各周方向の分割流路１９ａ，１９ｂ，１９ｃにもそれぞれダンパ１８が備えてあり、ストーカ炉本体１の炉底部に滞留する廃棄物１４の周方向の量に応じて一次空気５の供給量を調整できるようにしてある。
【０００５】
上記各風箱１７ａ，１７ｂ，１７ｃの各周方向の分割流路１９ａ，１９ｂ，１９ｃのストーカ炉本体１寄りの位置には、それぞれシール装置２０が取り付けてあり、ストーカ炉本体１の各水管４の外側に取り付けてあるシール用フィン２１が回転しながら上記各シール装置２０に接することによりシール作用が行われて、上記各周方向の分割流路１９ａ，１９ｂ，１９ｃから供給される一次空気５が、ストーカ炉本体１の炉底部のそれぞれ対応する個所へ吹き込まれるようにしてある。
【０００６】
かかる構成としてある回転ストーカ式焼却炉によれば、駆動装置１１によりストーカ炉本体１を低速回転させた状態にて、該ストーカ炉本体１内に、給じん機１５より廃棄物１４を供給すると、供給された廃棄物１４は、自重により常に炉底部に落下しようとするため、ストーカ炉本体１の回転に伴って撹拌されると共に、ストーカ炉本体１の傾斜配置により順次炉下流側へ移送させられ、この移送の間に、下側に設置してある風箱１６における炉上流側風箱１７ａ、炉中間部風箱１７ｂ、炉下流側風箱１７ｃから供給される一次空気５により炉上流側から順に乾燥、熱分解、燃焼の過程を経て焼却処理されるようになる。
【０００７】
すなわち、ストーカ炉本体１内に供給された廃棄物１４は、先ず、炉上流側部分に形成される乾燥ゾーン１ａにて、主として炉上流側風箱１７ａから供給される所要温度、たとえば、２００℃程度の一次空気５、及び、炉内の高温雰囲気に曝されることで乾燥させられる。次に、この乾燥された廃棄物１４は、炉中間部分に形成される熱分解ゾーン１ｂに移され、ここで炉中間部風箱１７ｂから一次空気５が供給され、下流側の燃焼ゾーン１ｃにて生じる燃焼熱を熱源として燃焼させられて熱分解される。しかる後、この熱分解物が、炉下流側部分に形成される燃焼ゾーン１ｃへ移送されて、炉下流側風箱１７ｃから供給される一次空気５を用いて燃焼されることで焼却処分が行なわれるようにしてある。図中、２２は二次燃焼室、２３は後燃焼装置である（たとえば、特許文献１参照）。
【０００８】
ところで、上記回転ストーカ式焼却炉にて廃棄物１４の焼却処理を行う場合、ストーカ炉本体の炉底部に滞留している廃棄物層の厚さが、ストーカ炉本体１の長手方向の乾燥、熱分解、燃焼の各ゾーン１ａ，１ｂ，１ｃで変動したり、周方向で変動すると、燃え切り点が移動して安定した燃焼が行なわれなくなる。そのために、風箱１６の上下流方向の各風箱１７ａ，１７ｂ，１７ｃごとに供給する一次空気の流量と圧力を計測し、この計測された流量と圧力及び廃棄物１４の層厚との相関関係から、上記長手方向の各風箱１７ａ，１７ｂ，１７ｃの上側に存在する炉底部の廃棄物層の層厚をそれぞれ推定し、この推定された層厚に応じて、上記長手方向の各風箱１７ａ，１７ｂ，１７ｃへの一次空気５の分配比を調整するようにすることが従来提案されている。更に、上記長手方向の各風箱１７ａ，１７ｂ，１７ｃのそれぞれの周方向の分割流路１９ａ，１９ｂ，１９ｃごとに、上記長手方向の各風箱１７ａ，１７ｂ，１７ｃの場合と同様に、供給される一次空気５の流量と圧力から層厚検出を行い、この検出される層厚に応じて一次空気５の分配比を制御するようにすることも提案されている（たとえば、特許文献２参照）。
【０００９】
【特許文献１】特開平１１−２５７６１６号公報
【特許文献２】特開２０００−２９１９２８号公報
【発明の開示】
【発明が解決しようとする課題】
【００１０】
ところが、近年の研究によれば、図４（イ）（ロ）（ハ）に示したような回転ストーカ式焼却炉にて、高含水率の廃棄物１４の焼却処理を行う場合、ストーカ炉本体１の炉長のかなりの部分、多いときには炉長の半分程度までが、投入された高含水率廃棄物１４の乾燥ゾーン１ａとして費やされているということが判明してきた。すなわち、高含水率の廃棄物１４を処理しようとする場合には、乾燥時間を長くすることが必要となり、このように乾燥に長い時間をとるためには、上記ストーカ炉本体１では出口側が低くなるようにしてあって回転により廃棄物１４を順次炉下流側へ移送させるようにしてあるため、炉長を長くしなければならないことになる。そのために、ストーカ炉本体１の乾燥ゾーン１ａとなる炉上流側部分での廃棄物１４の乾燥効率を向上させることが望まれている。
【００１１】
上記図４（イ）（ロ）（ハ）に示した従来の回転ストーカ式焼却炉では、ストーカ炉本体１内へ供給されて炉底部に滞留する廃棄物１４の層は、上記ストーカ炉本体１が円筒状としてあるため、該ストーカ炉本体１の周方向に沿う方向の両端部、すなわち、廃棄物層の幅方向の両端部の層厚が幅方向中央部よりも薄くなっていて、廃棄物層の幅方向両端部における廃棄物１４の存在量は、幅方向中央部に比して相対的に少なくなっている。しかし、ストーカ炉本体１の炉上流側部分の乾燥ゾーン１ａにて、供給された高含水率の廃棄物１４を、風箱１６における炉上流側風箱１７ａより供給される一次空気５を用いて乾燥させる際、該乾燥ゾーン１ａにおける廃棄物層の幅方向の両端部に対しては、それぞれ対応する下方位置の炉上流側風箱１７ａの周方向の分割流路１９ａ及び１９ｃより通気されるが、その通気は、層厚が相対的に厚い廃棄物層の幅方向中央部に対応する周方向の分割流路１９ｂからの通気と同等の通気か、あるいは、上記分割流路１９ａ及び１９ｃでは、上側に存在する廃棄物１４の層厚が廃棄物層の幅方向中央部よりも相対的に薄くて低圧力損失となることに起因して上記分割流路１９ｂ以上の通気が行なわれている。
【００１２】
そのために、上記炉上流側風箱１７ａの周方向両側部の分割流路１９ａ，１９ｃから層厚が薄い廃棄物層の幅方向両端部へ供給される一次空気５は、廃棄物層内を通過するのに要する時間、すなわち、廃棄物層内における滞留時間が短く、その保有する乾燥能力が十分に利用されないまま廃棄物層より排気される割合が多くなっているというのが実状である。このため、上記ストーカ炉本体１の乾燥ゾーン１ａにおける一次空気５の通排気量が過多になり、排ガス量の増加による排ガス処理設備の大型化、ダイオキシン類の生成につながる排ガス温度の低下や、廃棄物層の幅方向両端部の早期着火によるクリンカの発生等が生じ易くなる虞が懸念される。
【００１３】
更に、ストーカ炉本体１は大径で且つ溶接構造物であるため真円に精度良く製作することが難しく、また、回転軸の振れも多少あるため、炉上流側風箱１７ａの周方向の各分割流路１９ａ，１９ｂ，１９ｃのストーカ炉本体１寄りの位置に設けたシール装置２０と、ストーカ炉本体１側のシール用フィン２１との接触による完全なシール作用を行うことは難しく、このため、炉上流側風箱１７ａの周方向両側の分割流路１９ａ及び１９ｃでは、ストーカ炉本体１の炉底部より吹き込むべき一次空気５が、カバーケーシング８の方へ漏れ易く、このことによっても廃棄物１４の乾燥を行うために供給する一次空気５の通排気量が増加することも懸念される。
【００１４】
なお、特許文献２に記載されたものでは、ストーカ炉本体１内における炉上流側風箱１７ａ、炉中間部風箱１７ｂ、炉下流側風箱１７ｃと、その各周方向の分割流路１９ａ，１９ｂ，１９ｃの上側に存在する廃棄物１４の層厚に応じて、供給する一次空気５の分配比を該各風箱１７ａ，１７ｂ，１７ｃごと、あるいは各分割流路１９ａ，１９ｂ，１９ｃごとに調整するようにしてあるが、これは、ストーカ炉本体１内にて燃え切り点が移動して燃焼が不安定になることを防止するためのものであって、ストーカ炉本体１の乾燥ゾーン１ａとなる炉上流側部分において廃棄物１４を一次空気５を用いて乾燥させるときに、保有する乾燥能力が十分に利用されないまま廃棄物層を通過して排気されてしまう一次空気５の量を減らす考えについては全く示されていない。しかも、廃棄物１４の層厚に応じて周方向の分割流路１９ａ，１９ｂ，１９ｃにおける一次空気５の分配比を調整する際、上記各分割流路１９ａ，１９ｂ，１９ｃのうちの一部からの一次空気５の供給を停止させる考えは全く示されておらず、示唆されるものでもない。
【００１５】
そこで、本発明は、回転ストーカ式焼却炉におけるストーカ炉本体の乾燥ゾーンとなる上流側端部にて、焼却処理すべく供給される被処理物を、風箱から吹き込む一次空気により乾燥させるときに、該乾燥に用いられる一次空気が被処理物の層内を通過するのに要する時間を延長して、該一次空気の有する乾燥能力のうち、被処理物の乾燥に寄与する割合を従来に比して大きくできて、廃棄物の乾燥効率を向上でき、廃棄物の乾燥に用いられる一次空気の通排気量を減少させることができるような回転ストーカ式焼却炉の一次空気供給装置を提供しようとするものである。
【課題を解決するための手段】
【００１６】
本発明は、上記課題を解決するために、請求項１に係る発明に対応して、回転可能に横置きされたストーカ炉本体に上流側から供給される被処理物を、該ストーカ炉本体の回転により撹拌しながら下流側へ移送する間に、風箱から供給される一次空気により乾燥、熱分解、燃焼の過程を経て焼却処分するようにしてある回転ストーカ式焼却炉における炉上流側へ一次空気を供給する風箱を、ストーカ炉本体の周方向に細分化した多数の通気領域を有するものとし、且つ該細分化した各通気領域に送風機より一次空気を導くようにする空気送給ラインに、各通気領域ごとの開閉弁を設けて、上記送風機の能力範囲内で使用する通気領域を周方向外側から順に閉じて行くことができるようにした構成とする。
【００１７】
又、上記請求項１に係る発明における炉上流側へ一次空気を供給する風箱を、ストーカ炉本体の周方向に４以上の通気領域に細分化するようにした構成とする。
【００１８】
上述した構成において、周方向の各通気領域へ供給される一次空気の総通気量を検出する流量計又は一次空気の圧力を検出する圧力計を空気送給ラインに設け、該流量計又は圧力計から入力される信号に基づいて上記各通気領域ごとの開閉弁へ開閉指令を与える制御装置を備えた構成とする。
【００１９】
更に、上記構成における制御装置を、周方向の各通気領域へ供給される一次空気の総通気量が、ストーカ炉本体の炉上流側にて被処理物を乾燥させるために所望される通気量よりも大となる範囲内において、両外側の周方向の通気領域への通気を順次制限できる機能を有してなるものとした構成とする。
【発明の効果】
【００２０】
本発明の回転ストーカ式焼却炉の一次空気供給装置によれば、以下の如き優れた効果を発揮する。  
（１）回転ストーカ式焼却炉における炉上流側風箱を、ストーカ炉本体の周方向に細分化した多数の通気領域、具体的には、ストーカ炉本体の周方向に４以上の通気領域を有するものとし、該細分化した各通気領域にそれぞれ送風機より一次空気を導くようにする空気送給ラインに、各通気領域ごとの開閉弁を設けて、上記送風機の能力範囲内で使用する通気領域を周方向外側から順に閉じて行くことができるようにした構成としてあるので、炉上流側にて一次空気の吹き込みを行う領域を、上記炉上流側風箱の中央部寄りに制限することが可能になる。これにより、ストーカ炉本体の炉上流側部分に滞留している被処理物の層に対しては、層厚の厚い幅方向の中央部に集中して一次空気を吹き込むことができるようになるため、吹き込まれた一次空気が被処理物の層を通過するために要する時間を延長できる。  
（２）したがって、上記被処理物の層へ吹き込まれる一次空気は、その保有する乾燥能力のうち、被処理物の乾燥に寄与する割合が従来に比して大となり、このため、ストーカ炉本体の炉上流側部分の乾燥ゾーンにて、被処理物を、従来に比して少ない量の一次空気で効率よく乾燥できる。このため、炉上流側風箱より吹き込んでストーカ炉本体内にて被処理物を乾燥させるために用いる一次空気の通排気量を、従来に比して減少させることができる。  
（３）よって、排ガス量を減少させることができて、排ガス処理装置の小型化を図ることができる。又、一次空気の通排気量の減少により、ダイオキシン類の生成につながる排ガス温度の低下や、廃棄物層の幅方向両端部の早期着火によるクリンカの発生等が生じる虞を抑えることができる。更に、被処理物の乾燥効率を向上させることにより、ストーカ炉本体の炉長の短縮化を図ることが可能となって、プラント全体の小型化に寄与することが期待できる。  
（４）炉上流側風箱の各通気領域へ供給される一次空気の総通気量を検出する流量計又は一次空気の圧力を検出する圧力計を空気送給ラインに設け、該流量計又は圧力計から入力される信号に基づいて上記各通気領域ごとの開閉弁へ開閉指令を与える制御装置を備えた構成とし、更に、上記制御装置を、上記各通気領域へ供給される一次空気の総通気量が、ストーカ炉本体の炉上流側にて被処理物を乾燥させるために所望される通気量よりも大となる範囲内にて、両外側の周方向の通気領域への通気を順次制限できる機能を有してなるものとした構成とすることにより、炉上流側風箱よりストーカ炉本体の炉上流側にて被処理物を乾燥させるために所望される一次空気の通気量を確保した状態にて、炉上流側風箱より一次空気の吹き込みを行う領域を、該炉上流側風箱の中央部寄りにできるだけ狭くなるよう自動制御することができる。
【発明を実施するための最良の形態】
【００２１】
以下、本発明を実施するための最良の形態を図面を参照して説明する。
【００２２】
図１乃至図３（イ）（ロ）（ハ）は本発明の回転ストーカ式焼却炉の一次空気供給装置の実施の一形態を示すもので、図４（イ）（ロ）（ハ）に示したと同様に、水管壁構造としてあるストーカ炉本体１をカバーケーシング８内に回転可能に横置きして、入口側より供給される被処理物としての廃棄物１４を、ストーカ炉本体１の回転により撹拌しながら炉下流側へ順次移送させ、この移送の間にストーカ炉本体１の下側に位置する風箱１６を構成する炉上流側風箱１７ａ、炉中間部風箱１７ｂ、炉下流側風箱１７ｃから供給される一次空気５により廃棄物１４を乾燥、熱分解、燃焼の過程を経て焼却処理するようにしてある回転ストーカ式焼却炉における上記炉上流側風箱１７ａを、ストーカ炉本体１の周方向に分割した従来の３つの分割流路１９ａ，１９ｂ，１９ｃよりも多い、すなわち、周方向に４つ以上に細分化した通気領域としての周方向分割流路２４ａ，２４ｂ，２４ｃ，２４ｄ，２４ｅを有する構成とする。更に、該各周方向分割流路２４ａ，２４ｂ，２４ｃ，２４ｄ，２４ｅには、送風機２５より一次空気５を導くための空気送給ライン２６の下流側端部を分岐させて分岐ライン２６ａ，２６ｂ，２６ｃ，２６ｄ，２６ｅとして接続し、該各分岐ライン２６ａ，２６ｂ，２６ｃ，２６ｄ，２６ｅにそれぞれ開閉弁２７を個別に備え、細分化した周方向の各分割流路２６ａ，２４ｂ，２４ｃ，２４ｄ，２４ｅを、送風機２５の能力範囲内で外側から順に閉じて行くようにして一次空気５を供給できるようにする。
【００２３】
上記空気送給ライン２６の分岐点よりも上流側位置には、上記炉上流側風箱１７ａの全体へ供給される一次空気５の量（総通気量）を計測するための流量計２８が設けてある。
更に、上記炉上流側風箱１７ａの全体へ供給される一次空気５の圧力を計測するための圧力計２９も設けてある。
【００２４】
更に、上記流量計２８より入力される信号に基づいて上記各分岐ライン２６ａ，２６ｂ，２６ｃ，２６ｄ，２６ｅ上の開閉弁２７へ開閉指令を与える制御装置３０を備える。その他の構成は図４（イ）（ロ）（ハ）に示したものと同様であり、同一のものには同一符号が付してある。
【００２５】
上記制御装置３０は、図２に制御フローを示すように構成してある。上記送風機２５を定格運転して回転ストーカ式焼却炉の運転を開始している状態において、先ず、上記流量計２８より入力される信号に基づいて、空気送給ライン２６を通して炉上流側風箱１７ａの全分割流路２４ａ，２４ｂ，２４ｃ，２４ｄ，２４ｅへ供給されている一次空気５の総通気量を所定の時間間隔で定期的に計測する（ステップ１：Ｓ１）。
【００２６】
次に、上記一次空気５の総通気量の計測値が、ストーカ炉本体１の乾燥ゾーン１ａとなる炉上流側部分にて廃棄物１４を乾燥させるために予め設定してある所望の通気量（以下、目標通気量という）よりも大となっているか否かを判断する（ステップ２：Ｓ２）。
【００２７】
上記ステップ２にて上記一次空気５の総通気量の計測値が、上記目標通気量よりも大となっていると判断された場合には、炉上流側風箱１７ａの各周方向分割流路２４ａ，２４ｂ，２４ｃ，２４ｄ，２４ｅにおける通気中の周方向分割流路のうち、最も外側に位置する両側の周方向分割流路、たとえば、図３（イ）に示す如く、すべての周方向分割流路２４ａ，２４ｂ，２４ｃ，２４ｄ，２４ｅが通気中の場合には、図３（ロ）に示す如く、両側部の周方向分割流路２４ａと２４ｅに接続されている分岐ライン２６ａと２６ｅ上の開閉弁２７へ指令を与えてそれぞれ閉操作して、上記各周方向分割流路２４ａと２４ｅへの通気を停止させる（ステップ３：Ｓ３）。
【００２８】
このようにして、通気中であった周方向分割流路２４ａ，２４ｂ，２４ｃ，２４ｄ，２４ｅのうち、一番外側に位置する周方向分割流路２４ａ，２４ｅからの通気が停止されると、一次空気５の通気は中央寄りの周方向分割流路２４ｂ，２４ｃ，２４ｄに制限されるようになる。これにより、上記炉上流側風箱１７ａよりストーカ炉本体１の乾燥ゾーン１ａとなる炉上流側部分へ一次空気５を吹き込む領域の幅が狭くなることから、一次空気５は、炉底部に滞留している廃棄物層のうち、層厚の厚い幅方向中央部へ集中して供給されるようになる。同時に、一次空気５の吹き込み領域が層厚の厚くなっている廃棄物層の幅方向中央部へ制限されることに伴い、供給される一次空気５の圧力損失が増大し、一次空気５の総通気量が減少するようになる（ステップ４：Ｓ４）。
【００２９】
よって、その後、再びステップ１へ戻って、一次空気５の総通気量の計測を行った後、ステップ２にて、総通気量計測値と目標通気量との比較を行い、まだ一次空気５の総通気量計測値が目標通気量よりも大となっている場合には、ステップ３により、図３（ハ）に示す如く、通気中の各周方向分割流路２４ｂ，２４ｃ，２４ｄのうち、最も外側に位置する両側の周方向分割流路２４ｂと２４ｄに接続されている分岐ライン２６ｂと２６ｄ上の開閉弁２７を閉操作して、上記各周方向分割流路２４ｂ，２４ｄへの通気を停止させ、これにより、一次空気５の通気を中央部の幅方向分割流路２４ｃのみに制限する。これにより、上記炉上流側風箱１７ａよりストーカ炉本体１の乾燥ゾーン１ａとなる炉上流側部分へ一次空気５を吹き込む領域の幅は更に狭くなり、一次空気５は、炉底部に滞留している廃棄物層のうち、層厚の厚い幅方向の中央部にのみ集中的に供給されるようになる。同時に、一次空気５の吹き込み領域が層厚の厚くなっている廃棄物層の幅方向中央部のみに制限されることに伴い、供給される一次空気５の圧力損失は更に増大し、一次空気５の総通気量は更に減少するようになる（ステップ４：Ｓ４）。
【００３０】
一方、上記ステップ３により、炉上流側風箱１７ａにおける通気中の各周方向分割流路２４ａ，２４ｂ，２４ｃ，２４ｄ，２４ｅのうち、最も外側の周方向分割流路２４ａと２４ｅ（図３（ロ）参照）、あるいは、２４ｂと２４ｄ（図３（ハ）参照）への一次空気５の供給を停止させることに伴って、ステップ４で示したように圧力損失の増大による一次空気５の総通気量が減少するときに、ステップ１に戻って計測される一次空気５の総通気量計測値が、ステップ２において目標通気量よりも大となっていないと判断された場合、もしくは、上記のように一次空気５の供給を、炉上流側風箱１７ａにおける中央部の周方向分割流路２４ｂ，２４ｃ，２４ｄ（図３（ロ）参照）、あるいは、２４ｃのみ（図３（ハ）参照）に制限している状態にて、ストーカ炉本体１へ供給される廃棄物１４のごみ質が変化することによって圧力損失の増大が引き起こされて、一次空気５の総通気量が減少し、これにより、ステップ１にて定期的に計測される一次空気５の総通気量計測値が、ステップ２において目標通気量よりも大となっていないと判断された場合には、図３（ロ）から図３（イ）のように、通気中の周方向分割流路２４ｂ，２４ｃ，２４ｄの両側に隣接する周方向分割流路２４ａと２４ｅに接続されている分岐ライン２６ａと２６ｅ上の開閉弁２７、あるいは、図３（ハ）から図３（ロ）のように、通気中の周方向分割流路２４ｃの両側に隣接する周方向分割流路２４ｂと２４ｄに接続されている分岐ライン２６ｂと２６ｄ上の開閉弁２７をそれぞれ開操作させて、対応する周方向分割流路２４ａと２４ｅ、あるいは、２４ｂと２４ｄからの通気を再開させる（ステップ５：Ｓ５）。
【００３１】
このようにして、通気中であった周方向分割流路２４ｂ，２４ｃ，２４ｄ、あるいは、２４ｃの両側に隣接する周方向分割流路２４ａと２４ｅ、あるいは、２４ｂと２４ｄからの通気が再開されると、炉上流側風箱１７ａよりストーカ炉本体１の乾燥ゾーン１ａとなる炉上流側部分へ一次空気５を吹き込む領域の幅が広げられることから、一次空気５は、炉底部に滞留している廃棄物層のうち、層厚のより薄い幅方向の両側へも供給されるようになる。これにより、供給される一次空気５の圧力損失が減少し、一次空気５の総通気量が増加されるようになる（ステップ６：Ｓ６）。
【００３２】
よって、その後は再びステップ１へ戻って、一次空気５の総通気量の計測を行ってから、上記ステップ２にて総通気量計測値と、目標通気量とを比較し、その結果に応じてステップ３とステップ４、又は、ステップ５とステップ６の手順を繰り返し行わせるようにすることにより、上記炉上流側風箱１７ａの全体では、目標通気量が確保できる範囲内において、通気される周方向分割流路２４ａ，２４ｂ，２４ｃ，２４ｄ，２４ｅが中央寄りに制限されて、ストーカ炉本体１における乾燥ゾーン１ａとなる炉上流側部分へ一次空気５の吹き込まれる領域は、廃棄物層の幅方向の中央部へ集中されるようになる。
【００３３】
このように、本発明の回転ストーカ式焼却炉の一次空気供給装置によれば、ストーカ炉本体１の炉底部に滞留する廃棄物１４の層に対しては、送風機２５の定格運転により目標通気量が確保できる範囲内にて、層厚の厚い幅方向の中央部に集中して一次空気５が吹き込まれるようになることから、吹き込まれた一次空気５が廃棄物層を通過するために要する時間が延長される。よって、上記廃棄物層へ吹き込まれた一次空気５は、廃棄物層を通過する間にその保有する乾燥能力が廃棄物１４の乾燥のために十分に利用されるようになり、このため、乾燥ゾーン１ａでは、廃棄物１４が、従来に比して少ない量の一次空気５で効率よく乾燥されるようになる。
【００３４】
したがって、炉上流側風箱１７ａよりストーカ炉本体１内の乾燥ゾーン１ａへ廃棄物１４を乾燥させるために吹き込む一次空気５の通気量、すなわち、上記乾燥ゾーン１ａにおける一次空気５の通排気量を、従来に比して減少させることができる。
【００３５】
更に、炉上流側風箱１７ａの周方向分割流路２４ａ，２４ｂ，２４ｃ，２４ｄ，２４ｅのうち、通気する流路を中央寄りのものに制限することにより、シール装置２０とストーカ炉本体１側のシール用フィン２１によるシール部にて完全なシール作用を行うことが難しいことに起因して、たとえ、中央寄りの周方向分割流路からその外側へ隣接する周方向分割流路へ、すなわち、たとえば、図３（ロ）に示すように周方向分割流路２４ｂ，２４ｃ，２４ｄより通気を行っているときに、周方向分割流路２４ｂから２４ａへ、あるいは、２４ｄから２４ｅへの一次空気５の漏れが生じたり、図３（ハ）に示すように周方向分割流路２４ｃのみ通気を行っているときに、該周方向分割流路２４ｃからその両側の周方向分割流路２４ｂ、２４ｄへの一次空気５の漏れが生じたとしても、カバーケーシング８側まで達する虞を抑制でき、このことによっても、一次空気５の通排気量を従来に比して抑えることが可能になる。
【００３６】
このため、排ガス量を減少させることができて、排ガス処理装置の小型化を図ることができる。又、一次空気５の通排気量の減少により、ダイオキシン類の生成につながる排ガス温度の低下や、廃棄物層の幅方向両端部の早期着火によるクリンカの発生等が生じる虞を抑えることができる。更に、乾燥ゾーン１ａにおける廃棄物１４の乾燥効率を向上させることができることから、ストーカ炉本体１の炉長の短縮化を図ることが可能となって、プラント全体の小型化に寄与することが期待できる。
【００３７】
なお、本発明は上記実施の形態のみに限定されるものではなく、風箱１６における炉上流側風箱１７ａは、ストーカ炉本体１の周方向に対して５分割した周方向分割流路２４ａ，２４ｂ，２４ｃ，２４ｄ，２４ｅを有するものとして示したが、ストーカ炉本体１の周方向に４分割以上で且つストーカ炉本体１を構成する各水管４の間隔ごとになるまでの間であれば、ストーカ炉本体１の周方向に任意の分割数に設定してよい。
【００３８】
制御装置３０により炉上流側風箱１７ａの各周方向分割流路２４ａ，２４ｂ，２４ｃ，２４ｄ，２４ｅに対して幅方向外側から順に通気の開始又は停止を行わせる制御は、空気送給ライン２６上の流量計２８にて検出される上記炉上流側風箱１７ａへの一次空気５の総通気量が、ストーカ炉本体１の乾燥ゾーン１ａとなる炉上流側部分にて廃棄物１４を乾燥させるために要求される目標通気量よりも大となっているか否かを基準として判断するものとして示したが、上記空気送給ライン２６上の圧力計２９により送風機２５より炉上流側風箱１７ａへ供給される一次空気５の圧力を検出し、該検出される圧力が上記送風機２５の能力を越えない範囲（所望の一次空気５の総通気量が得られる圧力範囲）に収まるように、上記各周方向分割流路２４ａ，２４ｂ，２４ｃ，２４ｄ，２４ｅへの通気の開始、停止を制御するようにしてもよい。
【００３９】
空気送給ライン２６の所要位置に、炉上流側風箱１７ａ全体へ供給する一次空気量５を調整するための流量調整弁を設けると共に、上記空気送給ライン２６における該流量調整弁よりも上流側位置に、炉中間部風箱１７ｂ及び炉下流側風箱１７ｃへそれぞれ一次空気５を供給するための流量調整弁付きの空気送給ラインを分岐させて設けて、一台の送風機２５より風箱１６の長手方向の各風箱１７ａ，１７ｂ，１７ｃへ一次空気５を供給させるようにしてもよい。その他本発明の要旨を逸脱しない範囲内において種々変更を加え得ることは勿論である。
【図面の簡単な説明】
【００４０】
【図１】本発明の回転ストーカ式焼却炉の一次空気供給装置の実施の一形態を示すもので、炉上流側風箱の概略切断正面図である。
【図２】図１の装置における制御装置の制御フローを示す図である。
【図３】図１の装置による炉上流側風箱における各周方向分割流路の一次空気の通気と通気停止の操作状態を示すもので、（イ）はすべての周方向分割流路より通気している状態を、（ロ）は両側部の周方向分割流路からの通気を停止して、炉上流側風箱における中央寄りの部分から通気を行っている状態を、（ハ）は中央部の周方向分割流路のみから通気を行っている状態を、それぞれ示す図１に対応する図である。
【図４】回転ストーカ式焼却炉の概要を示すもので、（イ）は切断側面図、（ロ）は（イ）のＡ−Ａ方向矢視拡大図、（ハ）は（ロ）のＢ部の拡大図である。
【符号の説明】
【００４１】
１  ストーカ炉本体
５  一次空気
１４  廃棄物（被処理物）
１７ａ  炉上流側風箱（風箱）
２４ａ，２４ｂ，２４ｃ，２４ｄ，２４ｅ  周方向分割流路（通気領域）
２５  送風機
２６  空気送給ライン
２６ａ，２６ｂ，２６ｃ，２６ｄ，２６ｅ  分岐ライン（空気送給ライン）
２７  開閉弁
２８  流量計
２９  圧力計
３０  制御装置
【図１】
2006057936.tif 000003
【図２】
2006057936.tif 000004
【図３】
2006057936.tif 000005
【図４】
2006057936.tif 000006